(57)【要約】【目的】  スーツ、カーペット、自動車の座席等の繊維構造物に付着したペット、特に犬、猫の抜け毛を毛取り面で捕捉し、さらに捕捉した抜け毛を除去しやすい構造の簡易毛取り具を提供する。【構成】  本発明の簡易毛取り具は、セル膜除去のポリウレタンフォームの裁断面を毛取り面とした構成である。また、この毛取り具は、セル数は２０個／インチ以下の粗いもので、かつ骨格２の直径が０．０５ｍｍ以上であり、密度が２０〜４０Ｋｇ／m３、硬さが１００〜３００Ｎの断面矩形の平板状ポリウレタンフォームよりなることが好ましい。【選択図】  図１
2005143870.tif 000002
【特許請求の範囲】
【請求項１】
セル膜除去のポリウレタンフォームの裁断面を毛取り面としたことを特徴とする毛取り具。
【請求項２】
セル膜除去のポリウレタンフォームは、セル数が２０個／インチ以下、骨格の直径が０．０５mm以上であることを特徴とする請求項１記載の毛取り具。
【請求項３】
セル膜除去のポリウレタンフォームは、密度が２０〜４０Ｋｇ／m３、硬さが１００〜３００Ｎの物性値を有するものであることを特徴とする請求項２の毛取り具。
【請求項４】
毛取り具は、断面矩形の平板状であり、高さが１．５〜２．５ｃｍ、最大横幅が８〜１５ｃｍ、最大縦幅が６〜９ｃｍの寸法を有し、さらに、側面の任意の箇所を中心側に向けて湾曲する凹面としたことを特徴とする請求項３記載の毛取り具。
【発明の詳細な説明】
【技術分野】
【０００１】
本発明は、衣類、ソファー、カーペット、自動車の座席等の繊維構造物に付着したペットの抜け毛を除去しうる簡易毛取り具に関する。
【背景技術】
【０００２】
カーペット等の繊維構造物に付着したペットの抜け毛を除去するための簡易的な毛取り具として、粘着テープ、ブラシ、あるいはスポンジを利用したもの等が使用されている。しかしながら、粘着テープによるものは、何度も繰り返し使用することが難しく、ブラシによるものは、ブラシに毛がからみつくとその除去に手間がかかることがある。
【０００３】
そこで、スポンジタイプのものが開発されるようになった。すなわち、適当な大きさにカットした断面矩形の平板状のゴム系のスポンジを、抜け毛の付着したカーペット等に擦りつけることにより、抜け毛を絡め取りながら丸めて抜け毛を除去するものである。この方法を用いれば、有効に抜け毛を除去できるが、撚り合わせるように丸められた抜け毛は、スポンジ側に捕捉されるものは少なく、カーペット側に残りやすいものであった。
【０００４】
また、その他の例として、断面矩形の平板状の軟質発泡ポリウレタンを、抜け毛の付着したカーペット等に擦りつけることにより、抜け毛を軟質発泡ポリウレタンの多数の孔で捕らえるようにし、カーペット上の適宜の箇所にまとめてから除去するものがある。しかしながら、この場合も抜け毛は発泡ポリウレタン側にあまり捕捉されず、カーペット側に残りやすいものであった。
【特許文献１】特開２００１−３７９９６号公報
【特許文献２】実用新案登録第３０８０９３３号公報
【発明の開示】
【発明が解決しようとする課題】
【０００５】
本発明は、衣類、ソファー、カーペット、自動車の座席等の繊維構造物に付着したペット、特に犬、猫の抜け毛を毛取り面で捕捉し、さらに捕捉した抜け毛を除去しやすい構造の簡易毛取り具を提供することを目的とする。
【課題を解決するための手段】
【０００６】
本発明の簡易毛取り具は、セル膜除去のポリウレタンフォームの裁断面を毛取り面とした構成である。
【０００７】
用いるポリウレタンフォームは、セル数は２０個／インチ以下の粗いもので、かつ骨格の直径が０．０５ｍｍ以上であることが好ましい。また、前記毛取り具は、密度が２０〜４０Ｋｇ／m３、硬さが１００〜３００Ｎの断面矩形の平板状ポリウレタンフォームよりなることが好ましい。さらに、高さが１．５〜２．５ｃｍ、最大横幅が６〜９ｃｍ、最大縦幅が８〜１５ｃｍの寸法を有し、かつ、側面の任意の箇所を中心側に向けて湾曲する凹面とすることが好ましい。（なお、セル数、密度、硬さはＪＩＳ  Ｋ６４００に基づく）
【発明の効果】
【０００８】
セル膜除去のポリウレタンフォームは、多角形の環を形成した環状骨格と、その環に張られたセル膜とのうち、セル膜を除去したもので、ほぼ骨格のみでなるものであり、そして環状骨格が複数個繋がって球体を囲んだかのようなセル（小室）を形作っており、このセルが多数個集まってなるものである。さらに、詳細に述べれば、一つの環状骨格は隣りに位置する別の環状骨格と一辺を共有する形で繋がっており、一つのセルは隣に位置する別のセルと一つの環状骨格を共有する形で繋がっている。したがって、環状骨格の多角形の頂点からは、種々方向に向いた骨格が数本存在した形態になっている。すなわち、このセル膜除去のポリウレタンフォームをナイフ等で裁断した裁断面には、斜めを向いた骨格、ほぼ垂直に向いた骨格、ループ状の骨格等、種々の方向を向いた骨格が途中で切断された形態でブラシのように多数現れる。この裁断面（毛取り面）を、ペットの抜け毛が付着した繊維構造物に擦ると、抜け毛は束ねられるようにこれらの骨格によって捕捉される。そして、裁断面よりやや内側には、切断されてない環状骨格が存在しており、抜け毛をこれ以上深く侵入しないようしている。したがって、裁断面（毛取り面）に捕捉された抜け毛は、かすかな力で保持されているに過ぎないので、手で摘んでやると簡単に裁断面（毛取り面）から取り除くことができる。
【０００９】
毛取り具に用いるセル膜除去のポリウレタンフォームは、一般にクッション用途に用いられるポリウレタンフォームと比較してセル数が少なく、骨格が太いものがよい。すなわち、セル数が２０個／インチ以下の粗いもので、かつ、骨格の直径が０．０５ｍｍ以上の太いものであると、ブラシ的な効果により抜け毛が毛取り面に良好に捕捉される。これよりセル数が多いと抜け毛が毛取り面の良好な深さまで侵入できず、すなわち骨格に引っかからないので抜け毛を補足しにくくなる。これより骨格が細いと骨格の剛性が不足し擦ったときに表面の骨格が倒れるので抜け毛を捕捉しにくくなる場合がある。さらに、１６個／インチ以下のセル数ものを用いるとより好ましい。なお、骨格の直径は、同じポリウレタンフォームの中でも細いものと太いものがあるが、本願発明ではそのポリウレタンフォームが有する平均的な太さで表した。
【００１０】
また、前記毛取り具用に、密度が２０〜４０Ｋｇ／m３、硬さが１００〜３００Ｎのセル膜を除去したポリウレタンフォームを用いると、適度な弾力性を有すものとなり、自動車の座席等の曲面を有する繊維構造物に対しても、その曲面に沿わせて擦ることで良好に抜け毛を捕捉することができる。
【００１１】
前記毛取り具は、断面矩形の平板状であり、高さが１．５〜２．５ｃｍ、最大横幅が８〜１５ｃｍ、最大縦幅が６〜９ｃｍの寸法を有し、かつ、平面視の輪郭において三日月状に凹ませた形状を有することで、手の大きさにマッチして扱いやすくなると共に、側面の任意の箇所を中心側に向けて湾曲する凹面としたことで、毛取り具の真ん中の部分で曲げやすく、その凹面を利用すれば座席等の凸面に沿わせて擦りやすくなる。
【発明を実施するための最良の形態】
【００１２】
毛取り具に用いるポリウレタンフォームは、ポリオールと、ジイソシアネートと、発泡剤、製法剤および触媒等の副原料を混合することによって製造される。そしてセル数、密度及び硬さは、混合の際のミキサーの回転数、副原料の量、用いるポリオールの種類を適宜選択することによって所望の性状のポリウレタンフォームを得ることができる。なお、抗菌剤や防かび剤、顔料等の添加は任意である。
【００１３】
ポリウレタンフォームのセル膜を除去する方法としては、製造されたポリウレタンフォームのセル膜部分が骨格に比べて非常薄いので、融解（又は燃焼）や溶解によってセル膜の部分のみを除去しようというもので、いわゆる水素爆発法（熱で膜部分のみ除去）や溶解法（アルカリ等で膜部分を除去）がある。また、原料配合を調整することによって、ポリウレタンフォームの生成の最終段階でセル膜を破る方法（例えば、ポリエーテルポリオールとポリエステルポリオールを併用し、さらに界面活性剤を調整することで発泡体の通気度を高めるような方法）もある。本発明のセル膜除去のポリウレタンフォームは、上記のいずれの方法でセル膜を除去したものを用いても良いが、配合を調整する方法では、セルの粗い（大きい）ものを作製しづらいこと、及びセル膜の除去率を高水準に維持することが困難なため、後処理である水素爆発法、溶解法を用いるのが好ましい。そして、セル膜除去のポリウレタンフォームは、骨格のみので形成された形態になるが、セル膜残存率が２０％、好ましくは１０％以下であれば本発明の毛取り具に好適に用いることができる。なお、本発明で言うセル膜残存率とは、環状骨格の環の内縁を外周とした多角形の面積のうち、どれだけセル膜が残存しているかで表したものである。
【００１４】
セル膜除去のポリウレタンフォームは、図１に示すように、骨格２のみによって形成された構造となり、骨格は通常６角形の多角形の環状骨格を形成しており、さらにそれぞれの頂点から枝分かれした骨格２がまた別の多角形を形成することで、いろんな方向に連続する、いわゆる３次元網目骨格によって形成されている。
【００１５】
そして、セル膜除去のポリウレタンフォームを裁断機で裁断することで、本発明で言う毛取り面を形成することができる。毛取り面には、骨格が斜めに向いた状態で切断されたもの、ほぼ垂直に向いた状態で切断されたもの、及び骨格の頂点付近で切断されてループが現れる。すなわち、セル膜を除去した切断面には、種々の方向を向いた骨格が多数現れることになる。裁断機としては、ナイフタイプ、ワイヤタイプ、鋸刃タイプ、熱線タイプ、あるいはプレスによる打ち抜きタイプのいずれでもよい。なお、裁断面は、平坦面としても良いし、凹凸の波状面としても良い。ただし、凹凸の波状面とする場合は、繊維構造物に擦りつける際に接触しない部分が発生して、抜け毛を良好に補足できない場合があるので、波のピッチを２０ｍｍ以下とすることが好ましい。
【００１６】
セル膜除去のポリウレタンフォームは、セル数が２０個／インチ以下の粗いものが良く、かつ、骨格の直径が０．０５ｍｍ以上の太いものが良い。また、セル数の下限は６個／インチ以上とすることが好ましい。セル数が６個／インチ以下の粗いものであると、毛取り面に捕捉された抜け毛が毛取り面に深く侵入して強固に捕捉され、これを毛取り面より取り除くことが困難になることがある。また、骨格の直径は０．１〜０．５ｍｍとすることがより好ましい。骨格の直径が０．１ｍｍより小さいと、ポリウレタンフォームの硬度が１００Ｎ未満の場合、抜け毛が良好に補足できないことがあり、骨格が０．５ｍｍより太いものであると、繊維構造物を傷める虞が増大する。
【００１７】
セル膜除去のポリウレタンフォームは、上記の範囲のセル数と骨格の太さに加えて、密度が２０〜４０Ｋｇ／m３、硬さが１００〜３００Ｎであることが好ましい。ポリウレタンフォームの弾力性は密度と硬さを特定することでほぼ決定づけられるものであるので、上記の密度及び硬さの範囲とすることで、自動車の座席等の曲面を有する繊維構造物に対しても、その曲面に沿うように毛取り具を少し湾曲させることが容易となり良好に抜け毛を捕捉することができる。また、セル膜除去のポリウレタンフォームを、上記の密度及び硬さの範囲で、かつ骨格の太さが０．０５〜０．５ｍｍ、セル数が６〜２０個／インチに設定することで、毛取り面に現れる、端部を切断された骨格に、適度な剛性と適度な長さが付与されて、毛取り面に抜け毛を良好に捕捉できるとともに、捕捉した毛を簡単に手で摘んで除去できる。もっとも好ましい態様としては、上記の条件にさらに加えて、硬度と骨格の太さを積算した値を、７．５〜７５の範囲とする。このような範囲とすることで、いろんな繊維構造物に対して、抜け毛を補足しやすく、繊維構造物を傷めづらくできる。なお、本発明の毛取り具は、セル膜除去のポリウレタンフォームの単体を、その全ての面を裁断によって形作ったものとすることが好ましい。裁断のみで加工した毛取り具とすることで製造コストを抑えることができるとともに、手に持って繊維構造物に擦る際に、切断された骨格が、手の指に引っかかり手との間の滑りを抑制するので、手にフィットする。
【００１８】
さらに上記に加えて、図２及び図３に示すように、断面矩形の平板状であり、高さｔが１．５〜２．５ｃｍ、最大横幅ｗ１が８〜１５ｃｍ、最大縦幅ｗ２が６〜９ｃｍの寸法を有し、かつ、側面の任意の箇所を中心側に向けて湾曲する凹面とすることが好ましい。このような形状の毛取り具は、例えば、セル膜除去のポリウレタンフォームの塊より、裁断機によって所望の高さを有するシートを作製し、所望の形状の打ち抜き刃を用いて打ち抜き加工することで簡単に得られる。
【００１９】
以上、発明を実施するための最良の形態を説明したが、本発明の簡易毛取り具は、少なくとも一面がセル膜除去のポリウレタンフォームであれば良く、例えば、装飾性を高めたり、その他の機能を付加する目的で、セル膜除去のポリウレタンフォームの毛取り面の反対側の面に、別の性状のセル膜除去のポリウレタンフォームを積層しても良いし、不織布、ポリエチレンフォームあるいはアルミ蒸着フィルム等の別素材を積層しても良い。
【実施例１】
【００２０】
実験室でウレタン原料を混合して３０ｃｍ×３０ｃｍのモールドに投入することによって、各種性状のポリウレタンフォームを得た。得られたポリウレタンフォームを、水素爆発法によって処理してセル膜除去のフォーム（サンプル１〜５）を作製した。すべてのサンプルともセル膜残存率は１０％以下であった。図３に示すような形状（高さ２ｃｍ×最大横幅１０ｃｍ×最大縦幅６ｃｍ）に各サンプルを裁断して毛取り具を作製し、起毛トリコットでアッセンブリされた自動車の座席に付着した犬及び猫の抜け毛の捕捉性、及び毛取り具で捕捉された抜け毛の除去性の試験を行った。結果を表１に示す。◎は極めて良好。○は良好。△は可である。
【００２１】
【表１】
2005143870.tif 000003
【図面の簡単な説明】
【００２２】
【図１】セル膜除去のポリウレタンフォームの模写図。
【図２】本発明の簡易毛取り具の一例を示す斜視図。
【図３】本発明の簡易毛取り具の一例を示す斜視図。
【符号の説明】
【００２３】
１    簡易毛取り具
１‘  簡易毛取り具
２    骨格
【図１】
2005143870.tif 000004
【図２】
2005143870.tif 000005
【図３】
2005143870.tif 000006